(57)【要約】【課題】羽目板の割れを防止すること。【解決手段】縦框１１1、縦框１１2、下框１２1および上框１２2が略ロ字状に組み立てられた枠１２と、枠１２に設けられ、長穴１５ａ11、長穴１５ａ12および長穴１５ａ13がそれぞれ形成された芯材１５1と、枠１２に設けられ、長穴１５ａ21、長穴１５ａ22および長穴１５ａ23がそれぞれ形成された芯材１５2と、芯材１５1および芯材１５2の表面に弾性力を有する弾性接着剤を介して接着された複数の縦羽目板１３1〜１３6とを備えている。【選択図】        図１
2005299331.tif 000002
【特許請求の範囲】
【請求項１】
枠に設けられた芯材と、
前記芯材に弾性力を有する弾性接着剤を介して接着された複数の羽目板と、
を備えたことを特徴とする木製扉。
【請求項２】
前記心材には、穴が形成されており、前記複数の羽目板は、前記心材に釘で固定されていることを特徴とする請求項１に記載の木製扉。
【請求項３】
枠に芯材を設ける第１の工程と、
前記芯材に弾性力を有する弾性接着剤を介して複数の羽目板を接着する第２の工程と、
を含むことを特徴とする木製扉製造方法。
【発明の詳細な説明】
【技術分野】
【０００１】
本発明は、木製扉および木製扉製造方法に関するものであり、特に、羽目板の割れを防止することができる木製扉および木製扉製造方法に関するものである。
【背景技術】
【０００２】
従来より、建築物の玄関や収納家具などには、木製扉が用いられている。この木製扉は、骨組と、骨組の表面および裏面に接着剤で固着された無垢材からなる複数の羽目板とから構成されている。
【０００３】
【特許文献１】特開平６−１９８６０９号公報
【発明の開示】
【発明が解決しようとする課題】
【０００４】
しかしながら、従来の木製扉においては、無垢材からなる羽目板を接着剤で骨組に接着されると、羽目板が接着剤により強力に固められた状態とされる。このことから、従来の木製扉においては、経年の伸縮を繰り返すことにより、羽目板が割れるという問題があった。
【０００５】
本発明は、上記に鑑みてなされたものであって、羽目板の割れを防止することができる木製扉および木製扉製造方法を提供することを目的とする。
【課題を解決するための手段】
【０００６】
上述した課題を解決し、目的を達成するために、本発明は、枠に設けられた芯材と、前記芯材に弾性力を有する弾性接着剤を介して接着された複数の羽目板と、を備えたことを特徴とする。
【０００７】
また、本発明は、枠に芯材を設ける第１の工程と、前記芯材に弾性力を有する弾性接着剤を介して複数の羽目板を接着する第２の工程と、を含むことを特徴とする。
【発明の効果】
【０００８】
本発明によれば、枠に設けられた芯材に弾性力を有する弾性接着剤を介して複数の羽目板を接着することとしたので、羽目板の収縮に応じて弾性接着剤が変形するため、羽目板に無理な力が作用せず、羽目板の割れを防止することができるという効果を奏する。
【発明を実施するための最良の形態】
【０００９】
以下に、本発明にかかる木製扉および木製扉製造方法の実施例を図面に基づいて詳細に説明する。なお、この実施例によりこの発明が限定されるものではない。
【実施例】
【００１０】
以下、図１〜図４を参照しつつ、一実施例による木製扉１０について説明する。図１は、本発明にかかる一実施例による木製扉１０の外観構成を示す正面図である。図２は、図１に示したＡ−Ａ’線視断面図である。図３は、図１に示した骨組１０’の構成を示す正面図である。図４は、図１および図３に示した芯材１５1、１５2を示す正面図である。
【００１１】
図１に示した木製扉１０は、建築物の玄関や収納家具などの扉として用いられており、複数の木材が組み合わされて構成されている。この木製扉１０は、骨組１０’（図３参照）と、骨組１０’の表面に接着された６枚の縦羽目板１３1〜１３6と、骨組１０’の裏面に接着された６枚の縦羽目板（縦羽目板１４1、縦羽目板１４2、・・・：図２参照）とから構成されている。これらの縦羽目板１３1〜１３6や縦羽目板１４1、縦羽目板１４2、・・・は、無垢材からなり、断面略凸状（図２参照）とされている。
【００１２】
図３に示した骨組１０’において、枠１２は、縦框１１1、縦框１１2、下框１２1および上框１２2が略ロ字状となるように組み立てられている。縦框１１1は、図２に示したように、断面略コ字状に形成されている。なお、縦框１１2、下框１２1および上框１２2も、縦框１１1と同様にして断面略コ字状に形成されている。
【００１３】
図３に戻り、芯材１５1および芯材１５2は、縦方向に２段となるように、枠１２に接着剤（例えば、固着性の水性ビニールウレタン）により接着されており、例えば、合板から構成されている。これらの芯材１５1および芯材１５2には、図４に示したように、軽量化を目的として、複数の長穴が形成されている。すなわち、芯材１５1には、同図縦方向に所定間隔をおいて、長穴１５ａ11、１５ａ12および１５ａ13がそれぞれ形成されている。同様にして、芯材１５2にも、同図縦方向に所定間隔をおいて、長穴１５ａ21、１５ａ22および１５ａ23がそれぞれ形成されている。
【００１４】
図３に戻り、芯材１５1の表面には、長穴１５ａ11、１５ａ12および１５ａ13をそれぞれ挟むようにして、横方向、すなわち縦框１１1から縦框１１2を架け渡すように、長尺状の横桟パッキン１６11、１６12、１６13、１６14、１６15および１６16がそれぞれ設けられている。なお、芯材１５1の裏面にも、表面と同様にして、長尺状の複数の横桟パッキン（横桟パッキン１７11、・・・：図２参照）がそれぞれ設けられている。
【００１５】
一方、芯材１５2の表面にも、長穴１５ａ21、１５ａ22および１５ａ23をそれぞれ挟むようにして、横方向、すなわち縦框１１1から縦框１１2を架け渡すように、長尺状の横桟パッキン１６21、１６22、１６23、１６24、１６25および１６26がそれぞれ設けられている。なお、芯材１５2の裏面にも、表面と同様にして、長尺状の複数の横桟パッキンがそれぞれ設けられている。
【００１６】
ここで、図３に示した骨組１０’の表面に複数の縦羽目板１３1〜１３6（図１参照）を取り付ける場合、芯材１５1の表面には、横桟パッキン１６11、１６12、１６13、１６14、１６15および１６16の各近傍に弾性接着剤２０11、２０12、２０13、２０14、２０15および２０16がカートリッジガン（図示略）にてそれぞれ塗布される。これらの弾性接着剤２０11、２０12、２０13、２０14、２０15および２０16は、変性シリコン、弾性エポキシ等であり、乾燥しても弾性力を有する接着剤である。
【００１７】
つぎに、骨組１０’の表面には、図２に示したように、縦羽目板１３1が弾性接着剤２０11、２０12、２０13、２０14、２０15および２０16により接着されるとともに、補強のために複数の隠し釘（隠し釘１８111、・・・：図２参照）で固定される。同様にして、骨組１０’の表面には、残りの縦羽目板１３2〜１３6が、弾性接着剤２０11、２０12、２０13、２０14、２０15および２０16により接着されるとともに、複数の隠し釘で順次固定される。
【００１８】
一方、図３に示した骨組１０’の裏面に複数の縦羽目板（縦羽目板１４1、１４2、・・・（図２参照））を取り付ける場合、芯材１５2の裏面には、複数の横桟パッキン（横桟パッキン１７11、・・・：図２参照）の各近傍に弾性接着剤がカートリッジガン（図示略）にてそれぞれ塗布される。
【００１９】
つぎに、骨組１０’の裏面にも、図２に示したように、縦羽目板１４1が複数の弾性接着剤により接着されるとともに、補強のために複数の隠し釘（隠し釘１９111、・・・：図２参照）で固定される。同様にして、骨組１０’の裏面には、残りの縦羽目板１４2、・・・が、複数の弾性接着剤により接着されるとともに、複数の隠し釘で順次固定される。
【００２０】
以上説明したように、一実施例によれば、枠１２に設けられた芯材１５1および芯材１５2に弾性力を有する弾性接着剤２０11、２０12、・・・を介して複数の縦羽目板１３1〜１３6を接着することとしたので、縦羽目板１３1〜１３6の収縮に応じて弾性接着剤２０11、２０12、・・・が変形するため、縦羽目板１３1〜１３6に無理な力が作用せず、縦羽目板１３1〜１３6の割れを防止することができる。
【産業上の利用可能性】
【００２１】
以上のように、本発明にかかる木製扉および木製扉製造方法は、無垢材を羽目板として用いた場合に対して有用である。
【図面の簡単な説明】
【００２２】
【図１】本発明にかかる一実施例による木製扉１０の外観構成を示す正面図である。
【図２】図１に示したＡ−Ａ’線視断面図である。
【図３】図１に示した骨組１０’の構成を示す正面図である。
【図４】図１および図３に示した芯材１５1、１５2を示す正面図である。
【符号の説明】
【００２３】
１０  木製扉
１２  枠
１３1〜１３6  縦羽目板
２０11〜２０26  弾性接着剤
【図１】
2005299331.tif 000003
【図２】
2005299331.tif 000004
【図３】
2005299331.tif 000005
【図４】
2005299331.tif 000006